(57)【要約】【課題】食器洗い機の構造及び組立を単純化し、効果的に匂いを除去する食器洗い機及びその制御方法を提供する。【解決手段】前記食器洗い機は、食器洗い機の内部に設けられたケーシング２２と、前記食器洗い機内の匂いを除去するため、前記ケーシング内に設けられる匂い除去材２１と、前記ケーシングの一部を選択的に開放して前記匂い除去材を露出させる開閉ドア２３と、前記開閉ドアを駆動する開閉ドア駆動装置とを含み、前記制御方法は、前記食器洗い機の乾燥行程の乾燥時間が予め設定された乾燥時間以上であるかを判断し、前記乾燥行程の乾燥時間が前記予め設定された乾燥時間以上であると、前記開閉ドアを開放することからなる。【選択図】　図３Ａ【特許請求の範囲】
【請求項１】
食器洗い機において、
前記食器洗い機の内部に設けられるケーシングと、
前記食器洗い機内の匂いを除去するため、前記ケーシング内に設けられる匂い除去材と、
前記ケーシングの一部を選択的に開放して前記匂い除去材を露出させる開閉ドアと、
前記開閉ドアを駆動する開閉ドア駆動装置と
を含むことを特徴とする食器洗い機。
【請求項２】
前記開閉ドアはその後面にラックが設けられ、
前記開閉ドア駆動装置は、
回転軸と、
外部の開放信号に応じて前記回転軸を回転させる駆動モータと、
前記回転軸に結合され、前記ラックと噛み合うピニオンと
を含むことを特徴とする請求項１記載の食器洗い機。
【請求項３】
前記開閉ドア駆動装置は、前記駆動モータに外部の開放信号を出力する制御部をさらに含むことを特徴とする請求項２記載の食器洗い機。
【請求項４】
前記ケーシングは、
前記匂い除去材を収容する保持板と、
前記ケーシングの１箇所以上に設けられ、前記保持板をスライド可能に収容するガイドレールと
を含むことを特徴とする請求項１記載の食器洗い機。
【請求項５】
前記匂い除去材は前記食器洗い機内の空気中の匂いを吸着及び／又は除去する吸着部材であることを特徴とする請求項１記載の食器洗い機。
【請求項６】
前記食器洗い機は、
前記食器洗い機に設けられた開口と、
前記開口を選択的に開放するドアと
をさらに含み、
前記ケーシングは前記ドアの内面に設けられることを特徴とする請求項１記載の食器洗い機。
【請求項７】
前記開閉ドア駆動装置は、前記食器洗い機の乾燥行程の乾燥時間が予め設定された乾燥時間以上であると、前記開閉ドアを駆動して前記ケーシングの一部を開放することを特徴とする請求項１記載の食器洗い機。
【請求項８】
前記開閉ドア駆動装置は、前記開閉ドアの開放時間が予め設定された開放時間以上であると、前記開閉ドアを駆動して前記開放されたケーシングの一部を閉鎖することを特徴とする請求項７記載の食器洗い機。
【請求項９】
前記食器洗い機は食器を収容するための洗浄槽をさらに含み、前記ケーシングは前記洗浄槽の内部に露出されていることを特徴とする請求項１記載の食器洗い機。
【請求項１０】
前記食器洗い機は、
前記食器を収容するため、前記洗浄槽内に設けられる一つ以上の食器バスケットと、
前記一つ以上の食器バスケット側に洗浄水を噴射する一つ以上の噴射ノズルと、
前記洗浄槽に洗浄水を供給する給水モータと、
前記食器から分離された飲食物滓を濾す排水フィルタと
をさらに含むことを特徴とする請求項９記載の食器洗い機。
【請求項１１】
前記食器洗い機は、
前記ケーシングが内部で露出されており、食器を収容するための洗浄槽と、
前記食器洗い機に供給された洗浄水を加熱するヒーターと、
前記洗浄水を外部へ排水する排水バルブと、
前記洗浄水を前記食器洗い機に供給する給水バルブと、
前記洗浄水を前記食器に噴射する噴射ノズルと、
前記洗浄水を前記噴射ノズルに供給する給水モータと、
前記洗浄槽と外部を連通させる排気ファンと
をさらに含むことを特徴とする請求項３記載の食器洗い機。
【請求項１２】
前記制御部は、
前記給水バルブ及び前記排水バルブを駆動する給・排水バルブ駆動部と、
前記給水モータを駆動する給水モータ駆動部と、
前記ヒーターを駆動するヒーター駆動部と、
前記排気ファンを駆動するファン駆動部と、
前記駆動モータを回転させるモータ駆動部と
を含み、
前記制御部は前記給・排水バルブ駆動部、前記給水モータ駆動部、前記ヒータ駆動部及び前記モータ駆動部を制御することを特徴とする請求項１１記載の食器洗い機。
【請求項１３】
前記制御部は、
前記食器洗い機を駆動する信号を入力するキー入力部と、
前記洗浄水の水位を感知する水位感知部と、
前記洗浄水の水温と前記洗浄槽の乾燥温度を感知する水温感知部と、
前記洗浄槽の開口が開放されることを感知するドア感知部と
をさらに含み、
前記制御部は、前記キー入力部、前記水位感知部、前記水温感知部及び前記ドア感知部に連結されることを特徴とする請求項１２記載の食器洗い機。
【請求項１４】
前記食器洗い機は、前記食器洗い機の内部と外部を連通させるため、前記ドアに設けられる排気ファンをさらに含むことを特徴とする請求項６記載の食器洗い機。
【請求項１５】
食器洗い機の内部に設けられたケーシングと、前記食器洗い機内の匂いを除去するため、前記ケーシング内に設けられる匂い除去材と、前記ケーシングの一部を選択的に開放して前記匂い除去材を露出させる開閉ドアと、前記開閉ドアを駆動する開閉ドア駆動装置とを含む食器洗い機の制御方法において、
前記食器洗い機の乾燥行程の乾燥時間が予め設定された乾燥時間以上であるかを判断する段階と、
前記乾燥行程の乾燥時間が前記予め設定された乾燥時間以上であると、前記開閉ドアを開放する段階と
からなることを特徴とする食器洗い機の制御方法。
【請求項１６】
前記制御方法は、前記開閉ドアの開放時間が予め設定された開放時間以上であると、前記開閉ドアを閉鎖する段階をさらに含むことを特徴とする請求項１５記載の食器洗い機の制御方法。
【請求項１７】
前記制御方法は、前記食器洗い機の洗浄及びすすぎ行程を行う段階をさらに含むことを特徴とする請求項１６記載の食器洗い機の制御方法。
【請求項１８】
食器洗い機において、
前記食器洗い機内に設けられるもので、内部に設けられる着脱可能な匂い除去材と、前記匂い除去材を露出させる開口とを有するケーシングと、
前記食器洗い機の駆動信号に応じて前記開口を選択的に開閉する開閉ドア部とを含むことを特徴とする食器洗い機。
【請求項１９】
前記食器洗い機は、前記食器洗い機の乾燥行程の乾燥時間が予め設定された乾燥時間以上であると、駆動信号を出力して前記開口を開放することにより、前記食器洗い機内の匂いを除去することを特徴とする請求項１８記載の食器洗い機。
【請求項２０】
前記食器洗い機は、前記開口の開放時間が予め設定された開口時間以上であると、駆動信号を出力して前記開口を閉鎖することを特徴とする請求項１９記載の食器洗い機。
【発明の詳細な説明】
【０００１】
【発明の属する技術分野】
本発明は食器洗い機に関し、より詳しくは食器洗い機の内部の不愉快な匂いを除去するための食器洗い機及びその制御方法に関するものである。
【０００２】
【従来の技術】
一般に、食器洗い機は、洗浄槽に適量の洗浄水を受け、洗浄槽内の洗浄水を各洗浄、すすぎ及び乾燥行程に合わせて循環させながら噴射ノズルを通じて噴射させて食器を洗浄する装置である。
【０００３】
このような食器洗い機は、洗浄が完了すると、洗浄槽内の排水フィルタに飲食物滓が残るが、この排水フィルタに濾された飲食物滓から発生する匂いが食器洗浄空間の壁内に染み込んで消費者に不愉快さを与える。
【０００４】
したがって、近年、このような食器洗浄空間内の不愉快な匂いを除去するための多様な方法が台頭している。
【０００５】
図１は食器洗浄空間内の匂いを除去するための従来の食器洗い機の縦断面図である。
【０００６】
同図に示すように、従来の食器洗い機は、内部に洗浄槽２が設けられたケーシング１と、食器洗い機の前面開口を上下回動により開閉するドア３とを有する。
【０００７】
洗浄槽２内の上部及び下部領域には、洗うべき食器を収容する上部及び下部食器バスケット４、５が引き出し可能に設けられる。上部及び下部食器バスケット４、５の下部には、洗浄水を受けて当該食器バスケット４、５に噴射する上部及び下部噴射ノズル６、７がそれぞれ位置する。
【０００８】
そして、洗浄槽２の下側には、洗浄槽２内に洗浄水を供給するための給水モータ８が設けられ、洗浄槽２の内部の上部及び下部領域には、給水モータ８から洗浄水が供給できるように、給水管９がそれぞれ設けられている。また、洗浄槽２の低部には、飲食物滓を濾す排水フィルタ１０が設けられている。
【０００９】
一方、洗浄槽２の一側には、洗浄槽２内の空気の流出入を調節する空気流出孔（図示せず）と、洗浄槽２とケーシング１の外部を相互連通させる連通管１１とが設けられる。連通管１１の吸入口部位には網状の滓遮断部材１２が設けられている。
【００１０】
連通管１１内には、食器洗浄空間から流入した空気が流動できるように設けられ、空気内に含まれている匂いを吸着、除去する吸着部材１３と、前記吸着部材１３を取り囲むヒーター１４と、前記ヒーターを取り囲み、連通管１１の過熱を遮断する断熱材１５とが設けられている。
【００１１】
また、連通管１１内には、食器洗浄空間から流入した空気を効果的に外部へ排出させる排気ファン１６が設けられ、吸着部材１３と排気ファン１６との間には、吸着部材１３を通過した空気中に残っている飲食物の匂いを除去するフィルタ１７が設けられている。
【００１２】
このような構成により、食器の洗浄が完了すると、食器洗浄空間内には飲食物滓が残存し、この飲食物滓は洗浄槽２の低部に設けられた排水フィルタ１０により濾される。この際、飲食物滓から発生する匂いは排気ファン１６により連通管１１に吸入され、連通管１１に吸入された匂いは連通管１１に沿って流動しながら、連通管１１内に設けられた活性炭の吸着部材１３に吸着されて除去される。
【００１３】
一方、ヒーター１４は吸着部材１３を一定時間高温に加熱するので、匂い分子の運動を活発にして吸着力を向上させることで、連通管１１に吸入された匂いを除去することになる。そして、吸着部材１３により一次に濾された空気は、吸着部材１３の下流側に設けられたフィルタ１７を通過する過程で、前記吸着部材１３により吸着されていない残留匂いを除去する。この際、空気流出孔により洗浄槽２内に空気が流入され、連通管１１の吸入口部位に設けられた網状の滓遮断部材１２により、連通管１１に吸入される空気と共に飲食物滓が流入することを防止する。
【００１４】
このように、食器洗浄空間とケーシングの外部が相互連通するように洗浄槽に結合される連通管と、この連通管内に空気が通過できるように設けられ、食器洗浄空間から流入した空気の通過時、空気中の匂いを吸着、除去する吸着部材とを設けることにより、食器洗浄空間内に残留する飲食物の匂いを除去する。
【００１５】
しかし、このような構成による従来の食器洗い機は、別途の連通管を設け、この連通管内に吸着部材、ヒーター、断熱材、排気ファン、フィルタを設けるため、食器洗い機の構造及び組立が複雑になるだけでなく、総製造費用が上昇する問題点がある。
【００１６】
また、匂いを除去する効率の面においても、吸着部材が食器洗浄空間内に取り付けられるものではなく、別に設けられた連通管内に取り付けられるので、食器洗浄空間内の空気との接触が難しくて匂いを効果的に除去しにくいだけでなく、食器洗浄空間内の空気を排気ファンの駆動により吸入するとしても、排気ファンを駆動し続けなければならない問題点がある。
【００１７】
【発明が解決しようとする課題】
したがって、本発明は前記のような従来の問題点に鑑みてなされたもので、食器洗い機の内部に、匂い除去材が取り付けられる空間を設け、その空間の一部を選択的に開放するか閉鎖するようにして、食器洗い機の構造及び組立を単純化するとともに、匂い除去材と食器洗い機の内部空気との接触を容易にすることにより、効果的に匂いを除去することができる食器洗い機及びその制御方法を提供することにその目的がある。
【００１８】
【課題を解決するための手段】
前記目的を達成するため、本発明は、食器洗い機の内部に設けられたケーシングと、前記食器洗い機内の匂いを除去するため、前記ケーシング内に設けられる匂い除去材と、前記ケーシングの一部を選択的に開放して前記匂い除去材を露出させる開閉ドアと、前記開閉ドアを駆動する開閉ドア駆動装置とを含む食器洗い機を提供する。
【００１９】
また、本発明は、食器洗い機の内部に設けられたケーシングと、前記食器洗い機内の匂いを除去するため、前記ケーシング内に設けられる匂い除去材と、前記ケーシングの一部を選択的に開放して前記匂い除去材を露出させる開閉ドアと、前記開閉ドアを駆動する開閉ドア駆動装置とを含む食器洗い機の制御方法において、前記食器洗い機の乾燥行程の乾燥時間が予め設定された乾燥時間以上であるかを判断する段階と、前記乾燥行程の乾燥時間が前記予め設定された乾燥時間以上であると、前記開閉ドアを開放する段階とからなる食器洗い機の制御方法を提供する。
【００２０】
【発明の実施の形態】
以下、添付図面に基づいて本発明を詳細に説明する。
【００２１】
図２は本発明による食器洗い機の斜視図である。
【００２２】
同図に示すように、食器洗い機は食器洗い機の前面開口を上下回動により開閉するドア３を有する。
【００２３】
洗浄槽２内の上部及び下部領域には、洗浄すべき食器を収容する上部及び下部食器バスケット４、５がそれぞれ引き出し可能に設けられている。上部及び下部食器バスケット４、５には、洗浄水を受けて当該食器バスケット４、５に噴射する上部及び下部噴射ノズル６、７がそれぞれ設けられる。
【００２４】
そして、洗浄槽２の下側には、洗浄槽２内に洗浄水を供給するための給水モータ８が設けられ、洗浄槽２の内部の上部及び下部領域には、給水モータ８から洗浄水が供給できるように、給水管９がそれぞれ設けられている。また、洗浄槽２の低部には、飲食物滓を濾す排水フィルタ１０が設けられている。
【００２５】
また、ドア３の内面には、空気中の匂いを吸着、除去する吸着部材又は芳香剤のような匂い除去材（図３に基づいて後述）を収容するためのケーシング２２、ケーシング２２の前面部を開閉する開閉ドア２３、及び開閉ドア２３を駆動する開閉ドア駆動装置（図示せず）を含む匂い除去装置２０が設けられている。
【００２６】
洗浄槽２には図示しないヒーター、排水バルブ、給水バルブが設けられており、ドア３には送風ファンが設けられている。
【００２７】
以下、本発明による匂い除去装置２０について詳細に説明する。
【００２８】
図３Ａは本発明による匂い除去装置の斜視図、図３Ｂは図３Ａの匂い除去装置の右側面図である。
【００２９】
図３Ａ及び図３Ｂに示すように、本発明の匂い除去装置２０はケーシング２２を含む。このケーシング２２の下部及び上部には、長手方向にスライドを案内する案内レール２４が設けられている。
【００３０】
このケーシングの後面には、案内レール２４に沿ってスライドされる保持板２５が設けられ、ケーシングの前面には、案内レール２４に沿ってケーシングの前面を開閉する開閉ドア２３が設けられる。
【００３１】
保持板２５には、空気中の不愉快な匂いを除去する匂い除去材２１を支持するための多数の支持クリップ２６が設けられている。保持板２５はその上端及び下端が案内レール２５ａに沿ってスライドされ、保持板２５の上下部には、案内レール２５ａに結合して保持板２５を固定させる上部突起２７ａ及び下部突起２７ｂが設けられる。この保持板２５には、匂い除去材２１が使用者により手動でスライドされて装着される。
【００３２】
一方、開閉ドア２３にはラック２８が設けられ、駆動モータ２９の回転軸３０には、前記ラック２８と噛み合うピニオン３１が装着されているので、駆動モータ２９の正回転又は逆回転により開閉ドア２３が開放されるか閉鎖されるように構成されている。開閉ドア２３の上部及び下部には、案内レール２４に沿ってスライドするように、“Ｌ”字形の上下部突起３２ａ、３２ｂが突設されている。
【００３３】
図４は本発明による食器洗い機の制御ブロック図である。
【００３４】
同図に示すように、制御部１００の入力側には、食器洗いの際、洗浄すべき食器に対して一連の洗浄行程である洗浄、すすぎ、乾燥行程の運転信号を入力するためのキー入力部１１０と、給水された洗浄水と排水される洗浄水の水位を感知する水位感知部１１１と、洗浄水の水温と乾燥温度を感知する水温感知部１１２と、食器洗い機のドア３の開閉を感知するドア感知部１１３とが電気的に連結されている。
【００３５】
また、制御部１００の出力側には、制御部１００の制御信号に応じて、洗浄槽内に洗浄水を給水する給水バルブ、及び給水された洗浄水を排水する排水バルブを駆動する給・排水バルブ駆動部１２０と、制御部１００の制御信号に応じて洗浄水を噴射して食器を洗浄し、すすぐように洗浄水を給水管９にポンプする給水モータ８を駆動する給水モータ駆動部１２１と、制御部１００の制御信号に応じて所定の水温に加熱するか、あるいは洗浄又はすすぎの完了後、食器を乾燥させるヒーターを駆動させるヒーター駆動部１２２と、制御部１００の制御信号に応じて外気を吸入して洗浄槽の内部に送風するための送風ファンを駆動するファン駆動部１２３と、制御部１００の制御信号に応じて駆動モータを正回転又は逆回転させるためのモータ駆動部１２４とが電気的に連結されている。
【００３６】
以下、図５に基づいて本発明による食器洗い機の空気中の匂いを除去する方法を説明する。
【００３７】
図５は本発明による食器洗い機の制御方法の制御流れ図である。
【００３８】
同図に示すように、飲食物滓が付いている食器を食器洗い機の洗浄槽に入れ、洗浄、すすぎ、乾燥に対する運転信号をキー入力部１１０を通じて入力すると、制御部１００は、予め設定された所定のプログラムにしたがって、入力された運転信号を制御し、給・排水バルブ駆動部１２０により給水バルブを開放して洗浄槽２内に洗浄水を給水し、ヒーター駆動部１２２によりヒーターを駆動して、給水された洗浄水を予め設定された温度に至るまで加熱する。制御部１００は、水位感知部１１１と水温感知部１１２の出力信号によって、給水された洗浄水の水位と水温が予め設定された水位と水温に到達したことを感知すると、給水モータ駆動部１２１により給水モータ８を駆動して洗浄水を給水管９にポンプする。このポンプされた洗浄水は給水管９を通じて噴射ノズル６、７に供給され、この洗浄水は噴射ノズル６、７から食器に噴射されて食器を洗浄することになる（Ｓ１０００）。
【００３９】
次いで、制御部１００は、予め設定された洗浄時間が経過して洗浄行程が完了すると、制御部１００は給・排水バルブ駆動部１２０により排水バルブを開けて、汚染された洗浄水を外部へ排出させる。これにより、飲食物滓が排水フィルタ１０に収集される。つぎに、制御部１００は給水バルブを開けて、予め設定されたすすぎ水位まで洗浄水を受ける。給水が完了すると、制御部１００は、予め設定された時間の間、給水モータ駆動部１２１により給水モータ８を駆動して噴射ノズル６、７から洗浄水を噴射して食器をすすぐ（Ｓ１１００）。
【００４０】
ついで、制御部１００は、予め設定されたすすぎ時間が経過してすすぎ行程が完了すると、給・排水バルブ駆動部１２０により排水バルブを開けて汚染された洗浄水を外部へ排出させ、ヒーター駆動部１２２とファン駆動部１２３によりヒーターと送風ファンを駆動して、濡れている食器を加熱し、外気を吸入して前記加熱された食器に送風することにより、予め設定された時間の間に乾燥させる（Ｓ１２００）。
【００４１】
制御部１００は、乾燥行程の乾燥時間に基づき、食器洗い機の内部の匂い除去が必要であるかを判断する（Ｓ１３００）。この際、制御部１００は、乾燥行程の実際乾燥時間をカウントし、カウントされた乾燥時間と予め設定された乾燥時間とを比較し、カウントされた乾燥時間が予め設定された乾燥時間以上である場合、匂い除去が必要であると判断する。
【００４２】
判断結果、匂い除去が必要であると、制御部１００は、食器洗い機の内部空気中の匂いを除去するため、モータ駆動部１２３により開閉ドア２３を開放させるための開放信号を出力して駆動モータ２９を正回転させる。この際、駆動モータ２９の回転軸３０がすると、これに結合され開閉ドア２３のラック２８と噛み合ったピニオン３１が回転することにより、開閉ドア２３が開放される（Ｓ１４００）。したがって、食器洗い機の内部空気中の匂いと匂い除去材２１（つまり、吸着部材又は芳香剤）が接触することにより、空気中の匂いを除去する。
【００４３】
段階Ｓ１４００で、開閉ドア２３が開放されると、制御部１００は、開閉ドア２３の開放時間に基づき、匂い除去が完了したかを判断する（Ｓ１５００）。この際、制御部１３０は、開閉ドア２３の開放時間をカウントし、カウントされた開放時間を予め設定された開放時間と比較し、カウントされた開放時間が予め設定された開放時間以上である場合、匂い除去が完了したと判断する。
【００４４】
段階Ｓ１５００での判断結果、匂い除去が完了したと判断されると、制御部１００は、使用者が再び食器洗いを行おうとする場合、吸着部材又は芳香剤に水が流入しないように、開閉ドア２３を閉鎖させるための閉鎖信号を出力して、モータ駆動部１２３により駆動モータ２９を逆回転させる。この際、駆動モータ２９の回転軸３０の逆回転により、これに結合されて開閉ドア２３のラック２８と噛み合ったピニオン３１が回転して、開放されている開閉ドア２３を閉鎖する（Ｓ１６００）。
【００４５】
【発明の効果】
以上説明したように、本発明は、食器洗い機の内部の不愉快な匂いを効果的に除去するとともに、食器洗い機の構造及び組立を単純化することにより、総製造費用を節減する効果がある。
【図面の簡単な説明】
【図１】従来の食器洗い機の縦断面図である。
【図２】本発明による食器洗い機の斜視図である。
【図３Ａ】本発明による匂い除去装置の斜視図である。
【図３Ｂ】図３Ａの匂い除去装置の右側面図である。
【図４】本発明による食器洗い機の制御ブロック図である。
【図５】本発明による食器洗い機の制御方法の流れ図である。
【符号の説明】
１００　制御部
１１０　キー入力部
１１１　水位感知部
１１２　水温感知部
１１３　ドア感知部
１２０　給・排水バルブ駆動部
１２１　給水モータ駆動部
１２２　ヒーター駆動部
１２３　ファン駆動部
１２４　モータ駆動部
【図１】
2004008787.tif 000002
【図２】
2004008787.tif 000003
【図３Ａ】
2004008787.tif 000004
【図３Ｂ】
2004008787.tif 000005
【図４】
2004008787.tif 000006
【図５】
2004008787.tif 000007